(57)【要約】【課題】通気性を有する胴縁機能とともに、ジョイナ機能をも備えたサイディング用役物を提供する。【解決手段】胴縁部１とジョイナ部２とからなるサイディング用役物Ａであって、該胴縁部１は、平断面コ字型の縦長ベース１１と、この縦長ベース１１の左右開口端に連設された左取付け片１２１と右取付け片１２２とからなり、上記ジョイナ部２は、上記縦長ベース１１の天面１１１の略中央部に連設され、平面視Ｔ字型とされるとともに、上記天面１１１と共に隣り合うサイディング材を挟持するように支持し、上記縦長ベース１１の左右側面には通気孔１３１、１３２が設けられたサイディング用役物。【選択図】図１
2005054433.tif 000002
【特許請求の範囲】
【請求項１】
胴縁部とジョイナ部とからなるサイディング用役物であって、該胴縁部は、平断面コ字型の縦長ベースと、この縦長ベースの左右開口端に連設された左取付け片と右取付け片とからなり、上記ジョイナ部は、上記縦長ベースの天面の略中央部に連設され、平面視Ｔ字型とされるとともに、上記天面と共に隣り合うサイディング材を挟持するように支持し、上記縦長ベースの左右側面には通気孔が設けられたサイディング用役物。
【請求項２】
上記胴縁部とジョイナ部とが金属部材により一体的に形成された請求項１に記載のサイディング用役物。
【請求項３】
上記胴縁部とジョイナ部とが合成樹脂により一体的に形成された請求項１に記載のサイディング用役物。
【請求項４】
上記通気孔が長孔とされた請求項１に記載のサイディング用役物。
【請求項５】
上記左右取付け片に固定用ビス孔が設けられた請求項１に記載のサイディング用役物。
【発明の詳細な説明】
【技術分野】
【０００１】
本発明は、サイディング用役物に関する。さらに詳しくは、下地材に取付けられ、サイディング材を支持するとともに、胴縁機能をも有するサイディング用役物に関する。
【０００２】
従来、建物の外装材として、窯業系サイディングや、金属サイディング等のサイディング材がよく用いられている。このサイディング材は、一般的には、サイディング用役物で隣り合うサイディング材の端部を支持し、目地を出した上で、胴縁に取付けられる。このとき、胴縁は下地材に固定されているため、下地材とサイディング材とによって形成された空間は密閉状態となり、通気性が悪く、その結果、結露が生じたり、胴縁の腐食が起こり易く、サイディングそのものの耐久性が懸念されるという問題がある。このような問題を解決するために、各種の技術が提案されている（例えば、特許文献１、２参照。）。
【特許文献１】特開平１１−１７２８８６号公報（第１−３頁、第３図）
【特許文献２】特開平７−３０５４７９号公報（第１−３頁、第１−３図）
【発明の開示】
【発明が解決しようとする課題】
【０００３】
通気性を良くするには、通常、木製の胴縁に通気孔を設けたり、胴縁を分割し、通気用の隙間を設けて下地材に取付けることが行なわれるが、長尺物の胴縁に上記のような通気手段を設け、さらに、サイディングの目地と一致させて下地材に固定するには繁雑な作業を必要とする。そのため、上記先行記載の技術を用いても、必ずしも満足すべき結果が得られるとはいえない。本発明は、このような状況の下で考え出されたものであって、通気性を有する胴縁機能を備えるとともに、下地材に作業性よくサイディング材を取付けることが可能なサイディング用役物を提供することを、その課題とする。
【課題を解決するための手段】
【０００４】
上記課題を解決するため、本発明においては、つぎのような技術的手段を講じている。すなわち、本発明によれば、胴縁部とジョイナ部とからなるサイディング用役物であって、該胴縁部は、平断面コ字型の縦長ベースと、この縦長ベースの左右開口端に連設された左取付け片と右取付け片とからなり、上記ジョイナ部は、上記縦長ベースの天面の略中央部に連設され、平面視Ｔ字型とされるとともに、上記天面と共に隣り合うサイディング材を挟持するように支持し、上記縦長ベースの左右側面には通気孔が設けられたサイディング用役物が提供される。
【０００５】
上記胴縁部とジョイナ部とが金属部材により一体的に形成されることが好ましい。また、上記胴縁部とジョイナ部とが合成樹脂により一体的に形成されることが好ましい。
【０００６】
上記通気孔が長孔とされることが好ましい。また、上記左右取付け片に固定用ビス孔が設けられることが好ましい。
【発明の効果】
【０００７】
本発明の請求項１に記載のサイディング用ジョイナは上記のとおりであり、とくに、胴縁部を構成する平断面コ字型の縦長ベースの左右側面に、通気孔が設けられているため、通気性が良好となり、結露や、胴縁の腐食を防ぎ、サイディングの耐久性が向上するという効果が得られる。
【０００８】
上記胴縁部とジョイナ部とが金属部材により一体的に形成されるため、通気孔を容易に設けることができるとともに、軽量で、腐食し難く、また、サイディングを見栄えよく施工することができる。
【０００９】
上記胴縁部とジョイナ部とが合成樹脂により一体的に形成されるため、通気孔を容易に設けることができるとともに、軽量で、腐食せず、また、サイディングを見栄えよく施工することができる。
【００１０】
上記通気孔が長孔とされているため、空気の流通量が多くなり、結露を防いでサイディングの耐久性を向上させることができる。また、上記取付け片に固定用ビス孔が設けられているため、ビスでサイディング用役物を下地材に固定することにより、しっかりとサイディング材を下地材に取付けることができる。
【発明を実施するための最良の形態】
【００１１】
以下、本発明の好ましい実施の形態について、図面を参照して、さらに詳細に説明する。図１は、本発明にかかるサイディング用役物Ａを示す斜視図である。図１において、上記サイディング用役物Ａは、胴縁部１とジョイナ部２とからなり、胴縁部１は、平断面コ字型の縦長ベース１１と、この縦長ベース１１の開口端に連設された左取付け片１２１と右取付け片１２２とからなっている。平面視Ｔ字型のジョイナ部２は、縦長ベース１１の天面１１１の略中央部に連設されるとともに、上記天面１１１と共に隣り合うサイディング材を挟持するように支持する。図１からよくわかるように、縦長ベース１１の左右側面には空気が流通するための長孔１３１、１３２が設けられている。符号Ｃは、サイディング用役物Ａをビスで下地材Ｄに固定するためのビス孔である。
【００１２】
図２は、サイディング用役物Ａを用いて２枚の金属サイディング材Ｂを下地材Ｄに取付けた状態を示す平断面図である。図３は、上記サイディング用役物Ａを用いて、複数枚の金属サイディング材Ｂを列立、施工した状態を示す要部斜視図である。なお、上記サイディング用役物Ａは、上記縦目地のみならず、横目地にも施工可能である。以上述べたように、本発明のサイディング用役物Ａを用いると、胴縁の施工および、ジョイナによるサイディング材の下地材Ｄへの取付けを一度の作業で簡単に行うことができる。また、胴縁部に設けられた長孔によって効果的に通気を行なえるとともに、軽量化も図ることができる。
【図面の簡単な説明】
【００１３】
【図１】本発明にかかるサイディング用役物を示す斜視図である。
【図２】上記を用いてサイディング材を下地材に取付けた状態を示す平断面図である。
【図３】上記を用いて複数のサイディング材を列立して下地材に取付けた状態を示す要部斜視図である。
【符号の説明】
【００１４】
Ａ          サイディング用役物
Ｂ          金属サイディング
１          胴縁部
１１        縦長ベース
１１１      上記の天面
１２１      左取付け片
１２２      右取付け片
１３１      左側通気用長孔
１３２      右側通気用長孔
２          ジョイナ部
Ｃ          ビス孔
Ｄ          下地材
【図１】
2005054433.tif 000003
【図２】
2005054433.tif 000004
【図３】
2005054433.tif 000005